(57)【要約】【課題】使い勝手が向上した洗面化粧ユニットを提供する。【解決手段】洗面化粧ユニット１は、洗面ボウル６を有する洗面台２と、洗面ボウル６に吐水する吐水装置３と、洗面台２よりも上方に設けられるキャビネットと、ユーザの操作を受け付けるための操作部と、キャビネットの扉の裏面に配置される吐出部であって、当該扉の開閉にともなって当該扉とともに移動する吐出部から液体を吐出させるための吐出装置と、を備える。吐出装置は、扉が開かれているときに操作部が操作を受け付けた場合、吐出部から液体を吐出させる。【選択図】図３
2019176940.tif 000002
【特許請求の範囲】
【請求項１】
洗面ボウルを有する洗面台と、
前記洗面ボウルに吐水する吐水装置と、
前記洗面台よりも上方に設けられるキャビネットと、
ユーザの操作を受け付けるための操作部と、
前記キャビネットの扉の裏面に配置される吐出部であって、当該扉の開閉にともなって当該扉とともに移動する吐出部から液体を吐出させるための吐出装置と、
を備え、
前記吐出装置は、前記扉が開かれているときに前記操作部が操作を受け付けた場合、前記吐出部から液体を吐出させることを特徴とする洗面化粧ユニット。
【請求項２】
前記吐出装置は、前記吐出部の吐出口が前記洗面ボウルの上方に位置しない場合、前記操作部が操作を受け付けても、前記吐出部から液体を吐出させないことを特徴とする請求項１に記載の洗面化粧ユニット。
【請求項３】
前記吐出口が前記洗面ボウルの上方に位置するときと、前記吐出口が前記洗面ボウルの上方に位置しないときとで検知状態が異なるように構成されたセンサを備え、
前記吐出装置は、前記センサからの検知結果に基づいて、前記吐出口が前記洗面ボウルの上方に位置するか否かを特定することを特徴とする請求項２に記載の洗面化粧ユニット。
【請求項４】
前記扉の開閉状態を撮像する撮像装置を備え、
前記吐出装置は、前記撮像装置が撮像した撮像画像に基づいて、前記吐出口が前記洗面ボウルの上方に位置するか否かを特定することを特徴とする請求項２に記載の洗面化粧ユニット。
【請求項５】
前記扉の開き角度を検出するセンサを備え、
前記吐出装置は、前記センサからの検知結果に基づいて、前記吐出口が前記洗面ボウルの上方に位置するか否かを特定することを特徴とする請求項２に記載の洗面化粧ユニット。
【請求項６】
前記キャビネットは、前記吐出部の吐出口が前記洗面ボウルの上方にない位置まで前記扉が開かないように構成されていることを特徴とする請求項１に記載の洗面化粧ユニット。
【請求項７】
前記操作部は、非接触センサであり、前記吐出部の吐出口の下方に差し出された手を検知するように構成されていることを特徴とする請求項１から６のいずれかに記載の洗面化粧ユニット。
【請求項８】
前記扉の裏面には吐出容器が配置され、当該吐出容器は、液体が収容される容器本体と、前記吐出部を構成するディスペンサであって、前記容器本体の開口部に装着され、前記容器本体に収容される液体を吐出させるディスペンサと、を備え、
前記ディスペンサは、ノズルを有するヘッドを備え、当該ヘッドが押し下げられると前記容器本体に収容される液体を前記ノズルから吐出するよう構成され、
前記吐出装置は、前記操作部がユーザの操作を受け付けると、前記ヘッドを押し下げるよう構成されていることを特徴とする請求項１から７のいずれかに記載の洗面化粧ユニット。
【発明の詳細な説明】
【技術分野】
【０００１】
本発明は、洗面化粧ユニットに関する。
【背景技術】
【０００２】
従来、様々な洗面化粧ユニットが提案されている。例えば特許文献１には、石鹸液等の液体を抽出できるようにした抽出装置が化粧棚の内部に装備された洗面化粧ユニットが提案されている。
【先行技術文献】
【特許文献】
【０００３】
【特許文献１】実開平２−５０２８９号公報
【発明の概要】
【発明が解決しようとする課題】
【０００４】
特許文献１に記載された技術では、石鹸液等の液体が洗面台のカウンター等に垂れる場合がある。この場合、掃除の手間が生じる。
【０００５】
本発明はこうした状況に鑑みてなされたものであり、その目的は、使い勝手が向上した洗面化粧ユニットを提供することにある。
【課題を解決するための手段】
【０００６】
上記課題を解決するために、本発明のある態様の洗面化粧ユニットは、洗面ボウルを有する洗面台と、洗面ボウルに吐水する吐水装置と、洗面台よりも上方に設けられるキャビネットと、ユーザの操作を受け付けるための操作部と、キャビネットの扉の裏面に配置される吐出部であって、当該扉の開閉にともなって当該扉とともに移動する吐出部から液体を吐出させるための吐出装置と、を備える。吐出装置は、扉が開かれているときに操作部が操作を受け付けた場合、吐出部から液体を吐出させる。
【発明の効果】
【０００７】
本発明によれば、使い勝手が向上した洗面化粧ユニットを提供できる。
【図面の簡単な説明】
【０００８】
【図１】第１実施の形態に係る洗面化粧ユニットを示すの斜視図である。
【図２】図１の右収納扉の裏面を示す図である。
【図３】図１の洗面化粧ユニットを模式的に示す平面図である。
【図４】図４（ａ）、（ｂ）は、第２の実施の形態に係る洗面化粧ユニットを模式的に示す平面図である。
【図５】図５（ａ）、（ｂ）は、第２の実施の形態の変形例に係る洗面化粧ユニットを模式的に示す平面図である。
【図６】図６（ａ）、（ｂ）は、第３の実施の形態に係る洗面化粧ユニットを模式的に示す平面図である。
【図７】図７（ａ）、（ｂ）は、第３の実施の形態の変形例に係る洗面化粧ユニットを模式的に示す平面図である。
【図８】第４の実施の形態に係る洗面化粧ユニットを模式的に示す平面図である。
【図９】第５の実施の形態に係る洗面化粧ユニットを模式的に示す平面図である。
【図１０】第６の実施の形態に係る洗面化粧ユニットを模式的に示す平面図である。
【図１１】変形例に係る洗面化粧ユニットの右収納扉の裏面を示す図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、洗面化粧ユニットを利用するユーザから見た上、下、左、右をいう。また、「前」、「後」はそれぞれ、ユーザから見て手前側、奥側をいう。
【００１０】
（第１の実施の形態）
図１は、第１の実施の形態に係る洗面化粧ユニット１を示す斜視図である。洗面化粧ユニット１は、例えば洗面所に設置される。洗面化粧ユニット１は、洗面台２と、吐水装置３と、下部キャビネット４と、バックパネル５と、上部キャビネット１０と、を備える。
【００１１】
下部キャビネット４は、床面に設置される。下部キャビネット４は、本実施の形態では２つの引出を有しており、例えば洗面用具や化粧品を収容できる。洗面台２は、洗面ボウル６と、カウンター７と、を含む。洗面ボウル６は、下方に窪んだ凹状に形成される。洗面ボウル６は、吐水装置３から吐水される水を受ける。カウンター７は、板状であり、本実施の形態では洗面ボウル６の両サイドに設けられる。バックパネル５は、洗面ボウル６の後方側において洗面ボウル６から上方に立設される。本実施の形態では、バックパネル５、洗面ボウル６およびカウンター７は一体に形成されている。吐水装置３は、洗面ボウル６と上部キャビネット１０との間に設けられる。吐水装置３は、ユーザの操作または動作に応じて吐水する。
【００１２】
上部キャビネット１０は、バックパネル５の上方の壁面に固定される。上部キャビネット１０は、収納棚１２と、収納扉１４で総称される中央収納扉１４Ｃ、左収納扉１４Ｌ、右収納扉１４Ｒと、を含む。収納棚１２には、洗面用具、化粧品、その他の物品を収納できる。３つの収納扉１４は、収納棚１２を開閉可能に覆う扉である。本実施の形態では、各収納扉１４の前面には、鏡が取り付けられている。つまり、本実施の形態の上部キャビネット１０は、ミラーキャビネットである。
【００１３】
図２は、右収納扉１４Ｒの裏面を示す図である。図３は、洗面化粧ユニット１を模式的に示す平面図である。図３では、保持部３８、吐出装置３０および吐液センサ４０の表示を省略している。なお、図３では、右収納扉１４Ｒは、左開きとなるように収納棚１２に取り付けられているが、右開きとなるように収納棚１２に取り付けられてもよい。
【００１４】
洗面化粧ユニット１はさらに、吐出容器２０を保持するための保持部３８と、吐出容器２０（後述）から液体を吐出させるための吐出装置３０と、吐出装置３０に対する、ひいては液体の吐出に対するユーザの操作を受け付けるための吐液センサ４０と、を備える。
【００１５】
吐出容器２０は、液体が収容される容器本体２２と、容器本体２２に収容される液体（例えばハンドソープ液や消毒液やハンドクリームなど）を吐出させるためのディスペンサ２４と、を含む。吐出容器２０は、例えば市販の吐出容器であってもよい。ディスペンサ２４は、公知の技術を用いて構成されればよい。図２の例では、ディスペンサ２４は、ノズル（吐出部）２７を有するヘッド２６と、容器本体２２の開口に装着されるキャップ２８と、容器本体２２に収容されるポンプ（不図示）と、備える。ヘッド２６に下向きの力を加えてヘッド２６を押し下げると、ポンプが容器本体２２内の液体を吸い上げ、ヘッド２６のノズル２７から吐出される。ヘッド２６は上方に付勢されているため、ヘッド２６に下向きの力を加えるのを止めると、ヘッド２６は元の位置に上昇する。
【００１６】
保持部３８は、右収納扉１４Ｒの裏面に固定される。本実施の形態の保持部３８は水平な載置面３８ａを有し、この載置面３８ａに吐出容器２０が載置される。したがって、吐出容器２０は、右収納扉１４Ｒが開閉されると、右収納扉１４Ｒと一緒に移動する。右収納扉１４Ｒが閉じた状態では、保持部３８と保持部３８に保持された吐出容器２０は、収納棚１２の内部の収納空間に収納される。
【００１７】
吐出装置３０は、押圧部材３２と、押圧部材３２を上下動させる駆動部３４と、駆動部３４を制御する制御部３６と、を含む。押圧部材３２は、吐出容器２０のディスペンサ２４のヘッド２６に上側から当接する。駆動部３４は、右収納扉１４Ｒの裏面に固定される。駆動部３４は、モータにより駆動され、押圧部材３２を上下に移動させる。
【００１８】
制御部３６は、特に限定しないが、駆動部３４の筐体内に収容される。制御部３６は、吐液センサ４０がユーザの手を検知すると、駆動部３４を制御して押圧部材３２を下方に移動させ、ヘッド２６を押し下げる。これにより、ヘッド２６のノズル２７から液体が吐出される。
【００１９】
吐液センサ４０は、右収納扉１４Ｒの裏面に固定される。吐液センサ４０は、非接触センサであり、その検知領域４２に差し出されたユーザの手を非接触で検知する。吐液センサ４０は右収納扉１４Ｒの裏面に固定されているため、必然的に右収納扉１４Ｒが開かれているときに、ユーザの手を非接触で検知する。吐液センサ４０は、その検知領域４２が吐出容器２０のノズル２７の吐出口２７ａの下方の領域を含むように構成される。これにより、ノズル２７の吐出口２７ａの下方に差し出された手を吐液センサ４０が検知して液体が吐出されるため、吐出口１７ａの下方に差し出された手でそのまま液体を受けることができる。
【００２０】
まとめると、右収納扉１４Ｒを開き、吐出容器２０のノズル２７の吐出口２７ａの下方に手を差し出すと、吐出装置３０が駆動してヘッド２６を押し下げ、これによりノズル２７の吐出口２７ａから液体が吐出される。
【００２１】
つづいて、本実施の形態が奏する効果について述べる。本実施の形態によれば、吐出容器２０は右収納扉１４Ｒの開閉にともなって右収納扉１４Ｒとともに移動する。したがって、吐出容器２０のノズル２７の吐出口２７ａが洗面ボウル６の真上に位置する状態で吐出口２７ａから液体を吐出させることができるため、洗面台２、具体的には洗面台２のカウンター７が液体で汚れるのを抑止することが可能になる。
【００２２】
また、特許文献１に記載の技術では、化粧棚の内部に抽出装置が装備されているため、石鹸液等が入った容器を交換する際に、化粧棚の内部に液体が垂れて化粧棚の内部が汚れる場合がある。この場合、掃除の手間が生じる。これに対し、本実施の形態によれば、吐出容器２０が洗面ボウル６の真上に位置する状態で吐出容器２０を交換できるため、そのような問題が生じない。
【００２３】
（第２の実施の形態）
図４（ａ）、（ｂ）は、第２の実施の形態に係る洗面化粧ユニット１を模式的に示す平面図である。図４（ａ）では、吐出容器２０のノズル２７の吐出口２７ａが洗面ボウル６の真上に位置しない状態を示し、図４（ｂ）では、吐出容器２０のノズル２７の吐出口２７ａが洗面ボウル６の真上に位置する状態を示す。洗面化粧ユニット１は、位置検出センサ５０をさらに備える。
【００２４】
本実施の形態では、右収納扉１４Ｒは右開きとなるように収納棚１２に取り付けられており、開き角度が或る角度までは吐出口２７ａは洗面ボウル６の真上に位置せず、開き角度が或る角度を超えると吐出口２７ａが洗面ボウル６の真上に位置する。
【００２５】
位置検出センサ５０は、吐出容器２０のノズル２７の吐出口２７ａの位置を検出するためのセンサである。本実施の形態の位置検出センサ５０は、接触センサであり、収納棚１２に固定される本体部５２と、本体部５２から前方に突出する長尺状のロッド５４と、を含む。ロッド５４は、長手方向（すなわち前後方向）に変位可能で、本体部５２から突出する向き（すなわち前向き）に付勢されている。位置検出センサ５０は、吐出口２７ａが洗面ボウル６の上方に位置しないときにはロッド５４が本体部５２に押し込まれた状態となり、吐出口２７ａが洗面ボウル６の上方に位置するときにはロッド５４が本体部５２に押し込まれていない状態となるように構成、配置される。位置検出センサ５０は、ロッド５４が押し込まれているときすなわち吐出口２７ａが洗面ボウル６の真上に位置しないときと、ロッド５４が押し込まれていないときすなわち吐出口２７ａが洗面ボウル６の真上に位置するときとで、異なる信号を吐出装置３０に送信する。
【００２６】
吐出装置３０の制御部３６は、吐液センサ４０がユーザの手を検知すると、位置検出センサ５０から送信される信号に基づいて、吐出口２７ａが洗面ボウル６の真上に位置しているか否かを特定する。具体的には制御部３６は、ロッド５４が押し込まれていることを示す信号を受信しているときは吐出口２７ａが洗面ボウル６の真上に位置しないと特定し、ロッド５４が押し込まれていないことを示す信号を受信しているときは吐出口２７ａが洗面ボウル６の真上に位置すると特定する。そして制御部３６は、吐出口２７ａが洗面ボウル６の真上に位置すると特定した場合に、駆動部３４を制御して押圧部材３２を下方に移動させ、ヘッド２６を押し下げる。これにより、ヘッド２６のノズル２７から液体が吐出される。
【００２７】
本実施の形態によれば、吐出口２７ａが洗面ボウル６の真上に位置しないときは、吐出容器２０から液体が吐出されない。言い換えると、吐出口２７ａが洗面ボウル６の真上に位置するときだけ、吐出容器２０から液体が吐出される。したがって、ユーザが受けられなかった吐出容器２０液体は洗面ボウル６に落ちるため、洗面台２、特に洗面台２のカウンター７が吐出容器２０からの液体が汚れるのを抑止できる。
【００２８】
つづいて変形例を説明する。
図５（ａ）、（ｂ）は、第２の実施の形態の変形例に係る洗面化粧ユニットを模式的に示す平面図である。図５（ａ）、（ｂ）はそれぞれ、図４（ａ）、（ｂ）に対応する。
【００２９】
本変形例では、右収納扉１４Ｒは左開きとなるよう収納棚１２に取り付けられており、第２の実施の形態とは反対に、開き角度が或る角度までは吐出口２７ａが洗面ボウル６の真上に位置し、開き角度が或る角度を超えると吐出口２７ａは洗面ボウル６の真上に位置しない。
【００３０】
位置検出センサ５０は、吐出口２７ａが洗面ボウル６の上方に位置するときにはロッド５４が本体部５２に押し込まれた状態となり、吐出口２７ａが洗面ボウル６の上方に位置しないときにはロッド５４が本体部５２に押し込まれていない状態となるように構成、配置される。位置検出センサ５０は、ロッド５４が押し込まれているときすなわち吐出口２７ａが洗面ボウル６の真上に位置するときと、ロッド５４が押し込まれていないときすなわち吐出口２７ａが洗面ボウル６の真上に位置しないときとで、異なる信号を吐出装置３０に送信する。
【００３１】
吐出装置３０の制御部３６は、ロッド５４が押し込まれていることを示す信号を受信している場合は吐出口２７ａが洗面ボウル６の真上に位置すると特定し、ロッド５４が押し込まれていないことを示す信号を受信している場合は吐出口２７ａが洗面ボウル６の真上に位置しないと特定する。
【００３２】
本変形例によれば、第２の実施の形態と同様の効果を奏することができる。
【００３３】
（第３の実施の形態）
図６（ａ）、（ｂ）は、第３の実施の形態に係る洗面化粧ユニットを模式的に示す平面図である。図６（ａ）、（ｂ）はそれぞれ、図４（ａ）、（ｂ）に対応する。
【００３４】
右収納扉１４Ｒは、第２の実施の形態と同様に、右開きとなるよう収納棚１２に取り付けられており、開き角度が或る角度までは吐出口２７ａは洗面ボウル６の真上に位置せず、開き角度が或る角度を超えると吐出口２７ａが洗面ボウル６の真上に位置する。
【００３５】
本実施の形態の位置検出センサ５０は、非接触センサであり、収納棚１２に固定される。位置検出センサ５０は、光を投光する投光器（不図示）と、その反射光を受光する受光器（不図示）と、を含む。位置検出センサ５０は、吐出口２７ａが洗面ボウル６の真上に位置しないときには投光器から投光された光の一部は右収納扉１４Ｒによって反射され、受光器がその反射光を検知し、吐出口２７ａが洗面ボウル６の真上に位置するときには投光器から投光された光は右収納扉１４Ｒによって反射されないように構成、配置される。つまり、位置検出センサ５０は、吐出口２７ａが洗面ボウル６の真上に位置しないときには右収納扉１４Ｒを検知し、吐出口２７ａが洗面ボウル６の真上に位置するときには右収納扉１４Ｒを検知しない。位置検出センサ５０は、右収納扉１４Ｒを検知しているときすなわち吐出口２７ａが洗面ボウル６の真上に位置しないときと、右収納扉１４Ｒを検知していないときすなわち吐出口２７ａが洗面ボウル６の真上に位置するときとで、異なる信号を吐出装置３０に送信する。
【００３６】
吐出装置３０の制御部３６は、右収納扉１４Ｒが検知されている場合は吐出口２７ａが洗面ボウル６の真上に位置しないと特定し、右収納扉１４Ｒが検知されていない場合は吐出口２７ａが洗面ボウル６の真上に位置すると特定する。
【００３７】
本実施の形態によれば、第２の実施の形態と同様の効果を奏することができる。
【００３８】
つづいて変形例を説明する。
図７（ａ）、（ｂ）は、第３の実施の形態の変形例に係る洗面化粧ユニットを模式的に示す平面図である。図７（ａ）、（ｂ）はそれぞれ、図６（ａ）、（ｂ）に対応する。
【００３９】
本変形例では、右収納扉１４Ｒは左開きとなるよう収納棚１２に取り付けられており、第３の実施の形態とは反対に、開き角度が或る角度までは吐出口２７ａが洗面ボウル６の真上に位置し、開き角度が或る角度を超えると吐出口２７ａは洗面ボウル６の真上に位置しない。
【００４０】
位置検出センサ５０は、吐出口２７ａが洗面ボウル６の上方に位置するときには投光器から投光された光の一部は右収納扉１４Ｒによって反射され、受光器がその反射光を検知し、吐出口２７ａが洗面ボウル６の上方に位置しないときには投光器から投光された光は右収納扉１４Ｒによって反射されないように構成、配置される。つまり、位置検出センサ５０は、吐出口２７ａが洗面ボウル６の上方に位置するときには右収納扉１４Ｒを検知し、吐出口２７ａが洗面ボウル６の上方に位置しないときには右収納扉１４Ｒを検知しない。位置検出センサ５０は、右収納扉１４Ｒを検知しているときすなわち吐出口２７ａが洗面ボウル６の真上に位置するときと、右収納扉１４Ｒを検知していないときすなわち吐出口２７ａが洗面ボウル６の真上に位置しないときとで、異なる信号を吐出装置３０に送信する。
【００４１】
吐出装置３０の制御部３６は、右収納扉１４Ｒが検知されている場合は吐出口２７ａが洗面ボウル６の真上に位置すると特定し、右収納扉１４Ｒが検知されていない場合は吐出口２７ａが洗面ボウル６の真上に位置しないと特定する。
【００４２】
本変形例によれば、第３の実施の形態と同様の作用効果を奏することができる。
【００４３】
（第４の実施の形態）
図８は、第４の実施の形態に係る洗面化粧ユニットを模式的に示す平面図である。図８はそれぞれ、図４（ａ）に対応する。
【００４４】
洗面化粧ユニット１は、位置検出センサの代わりに、撮像装置１５０を備える。撮像装置１５０は、収納棚１２の天板上に設置される。撮像装置１５０は、右収納扉１４Ｒの開閉状態を撮像する。撮像装置１５０は、撮像した撮像画像を吐出装置３０に送信する。
【００４５】
吐出装置３０の制御部３６は、撮像装置１５０が撮像した撮像画像を画像解析して、吐出口２７ａが洗面ボウル６の真上に位置しているか否かを特定する。例えば、吐出口２７ａが洗面ボウル６の真上に位置するときの右収納扉１４Ｒの位置範囲と、吐出口２７ａが洗面ボウル６の真上に位置しないときの右収納扉１４Ｒの位置範囲を把握しておけば、画像解析により右収納扉１４Ｒの位置を特定することで、吐出口２７ａが洗面ボウル６の真上に位置しているか否かを特定できる。
【００４６】
なお、図８では右収納扉１４Ｒが右開きであるが、本実施の形態によれば、右収納扉１４Ｒが左開きである場合にも、吐出口２７ａが洗面ボウル６の真上に位置しているか否かを特定できる。
【００４７】
本実施の形態によれば、第２の実施の形態と同様の効果を奏することができる。
【００４８】
（第５の実施の形態）
図９は、第５の実施の形態に係る洗面化粧ユニットの上部キャビネットを模式的に示す平面図である。
【００４９】
洗面化粧ユニット１は、位置検出センサの代わりに、開閉角度検出センサ２５０を備える。開閉角度検出センサ２５０は、右収納扉１４Ｒの開き角度を検出する。開閉角度検出センサ２５０は、例えばポテンショメータやロータリーエンコーダであり、例えば右収納扉１４Ｒを収納棚１２に取り付けるための蝶番（不図示）の回転軸の回転角度を検出することによって右収納扉１４Ｒの開き角度を検出する。
【００５０】
吐出装置３０の制御部３６は、開閉角度検出センサ２５０が検出した右収納扉１４Ｒの開き角度に基づいて、吐出口２７ａが洗面ボウル６の真上に位置しているか否かを特定する。例えば、吐出口２７ａが洗面ボウル６の真上に位置しているときの右収納扉１４Ｒの開き角度の範囲と、吐出口２７ａが洗面ボウル６の真上に位置していないときの右収納扉１４Ｒの開き角度の範囲を把握しておけば、開閉角度検出センサ２５０が検出した右収納扉１４Ｒの開き角度により吐出口２７ａが洗面ボウル６の真上にあるか否かを特定できる。
【００５１】
なお、図９では右収納扉１４Ｒが左開きであるが、本実施の形態によれば、右収納扉１４Ｒが右開きである場合にも、吐出口２７ａが洗面ボウル６の真上に位置しているか否かを特定できる。
【００５２】
本実施の形態によれば、第２の実施の形態と同様の効果を奏することができる。
【００５３】
以上、実施の形態に係る洗面化粧ユニットについて説明した。この実施の形態は例示であり、各構成要素の組み合わせにいろいろな変形例が可能なこと、またそうした変形例も本発明の範囲にあることは当業者に理解されるところである。以下、変形例を説明する。
【００５４】
（第６の実施の形態）
図１０は、第６の実施の形態に係る洗面化粧ユニットの上部キャビネットを模式的に示す平面図である。
【００５５】
本実施の形態では、右収納扉１４Ｒは左開きとなるよう収納棚１２に取り付けられており、開き角度が或る角度までは吐出口２７ａが洗面ボウル６の真上に位置し、開き角度が或る角度を超えると吐出口２７ａは洗面ボウル６の真上に位置しない。
【００５６】
右収納扉１４Ｒは、吐出容器２０のノズル２７の吐出口２７ａが洗面ボウル６の真上に位置しなくなるところまで開かないように構成されている。例えば、吐出容器２０のノズル２７の吐出口２７ａが洗面ボウル６の真上に位置しなくなるところまで右収納扉１４Ｒが開かないように、右収納扉１４Ｒを収納棚１２に取り付けるための蝶番６０が調整されていてもよい。また例えば、吐出容器２０のノズル２７の吐出口２７ａが洗面ボウル６の真上に位置しなくなるところまで開かないように規制する規制部材を洗面化粧ユニット１が備えていてもよい。
【００５７】
本実施の形態によれば、第２の実施の形態と同様の効果を奏することができる。
【００５８】
（変形例１）
図１１は、変形例に係る洗面化粧ユニットの右収納扉１４Ｒの裏面を示す図である。図１１は図２に対応する。本変形例では、保持部３８は、傾斜した載置面３８ａを有し、この載置面３８ａに吐出容器２０が載置される。したがって、吐出容器２０は傾いた状態に保持される。この場合、吐出容器２０を傾いた状態に保持するのに合わせて、駆動部３４がヘッド２６を押し下げる方向も傾いている。本変形例によれば、傾けない場合にはノズル２７の吐出口２７ａが容器本体２２の真上に位置する吐出容器２０について、吐出口２７ａが容器本体２２の真上に位置しないようにできる。これにより、吐出口２７ａから吐出された液体が容器本体２２に垂れるのを抑止できる。さらなる変形例として、保持部３８は、吐出容器２０を保持する角度を調整できるように構成されてもよい。この場合、保持部３８は、吐出容器２０を傾けずに保持することも、吐出容器２０を傾けて保持し、かつ、その角度を調整することもできる。
【００５９】
（変形例２）
第１〜第６の実施の形態およびそれらの変形例では、保持部３８、吐出装置３０および吐液センサ４０が右収納扉１４Ｒの裏面に設けられる場合について説明したが、これに限られず、保持部３８、吐出装置３０および吐液センサ４０は左収納扉１４Ｌまたは右収納扉１４Ｒの裏面に設けられてもよい。
【００６０】
（変形例３）
実施の形態および上述の変形例では、洗面化粧ユニットが、ユーザの操作を受け付けるための操作部として吐液センサ４０すなわち非接触センサを備える場合について説明したが、これに限られない。洗面化粧ユニットは、非接触センサの代わりに、例えば接触センサや、物理的なボタンやレバーなどを備えていてもよい。つまり、洗面化粧ユニットは、ユーザの操作を受け付けるための操作部を備えていればよい。
【００６１】
（変形例４）
実施の形態および上述の変形例では、吐出容器２０が収納扉１４の裏面に配置される場合について説明したが、これに限られない。吐出容器２０に相当する部材が洗面化粧ユニット１の構成部品として洗面化粧ユニット１に備え付けられていてもよい。この場合、容器本体は収納扉１４の裏面に固定されていても、収納棚１２の収納空間内に設けられていても、その他の場所に設けられていてもよい。容器本体が収納扉１４の裏面以外に設けられる場合は、吐出部だけが収納扉１４の裏面に設けられ、例えばチューブを介して容器本体から液体を吸い上げ、吐出部から吐出する。
【００６２】
（変形例５）
実施の形態および上述の変形例では、上部キャビネット１０は、洗面化粧ユニットの一部を構成し、洗面所に設置される場合について説明したが、これに限られず、キッチン、トイレ、その他の場所に設置されてもよい。
【００６３】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００６４】
以上の実施形態、変形例により具体化される発明を一般化すると、以下の技術的思想が導かれる。
本発明のある態様の洗面化粧ユニットは、洗面ボウルを有する洗面台と、洗面ボウルに吐水する吐水装置と、洗面台よりも上方に設けられるキャビネットと、ユーザの操作を受け付けるための操作部と、キャビネットの扉の裏面に配置される吐出部であって、当該扉の開閉にともなって当該扉とともに移動する吐出部から液体を吐出させるための吐出装置と、を備える。吐出装置は、扉が開かれているときに操作部が操作を受け付けた場合、吐出部から液体を吐出させる。
【００６５】
この態様によると、吐出部が洗面ボウルの真上に位置する状態で吐出部から液体を吐出させることができるため、洗面台、具体的には例えば洗面台のカウンターが液体で汚れるのを抑止することが可能になる。
【００６６】
吐出装置は、吐出部の吐出口が洗面ボウルの上方に位置しない場合、操作部が操作を受け付けても、吐出部から液体を吐出させない。
【００６７】
吐出口が洗面ボウルの上方に位置するときと、吐出口が洗面ボウルの上方に位置しないときとで検知状態が異なるように構成されたセンサを備えてもよい。吐出装置は、センサからの検知結果に基づいて、吐出口が洗面ボウルの上方に位置するか否かを特定してもよい。
【００６８】
扉の開閉状態を撮像する撮像装置を備えてもよい。吐出装置は、撮像装置が撮像した撮像画像に基づいて、吐出口が洗面ボウルの上方に位置するか否かを特定してもよい。
【００６９】
扉の開き角度を検出するセンサを備えてもよい。吐出装置は、センサからの検知結果に基づいて、吐出口が洗面ボウルの上方に位置するか否かを特定してもよい。
【００７０】
キャビネットは、吐出部の吐出口が洗面ボウルの上方にない位置まで扉が開かないように構成されていてもよい。
【００７１】
これらの態様によると、洗面台、具体的には例えば洗面台のカウンターが液体で汚れるのを抑止できる。
【００７２】
操作部は、非接触センサであり、吐出部の吐出口の下方に差し出された手を検知するように構成されていてもよい。
【００７３】
扉の裏面には吐出容器が配置され、当該吐出容器は、液体が収容される容器本体と、吐出部を構成するディスペンサであって、容器本体の開口部に装着され、容器本体に収容される液体を吐出させるディスペンサと、を備えてもよい。ディスペンサは、ノズルを有するヘッドを備え、当該ヘッドが押し下げられると容器本体に収容される液体をノズルから吐出するよう構成され、吐出装置は、操作部がユーザの操作を受け付けると、ヘッドを押し下げるよう構成されていてもよい。
【符号の説明】
【００７４】
１  洗面化粧ユニット、  ２  洗面台、  ３  吐水装置、  １０  上部キャビネット、  ４０  吐液センサ、  ２７  ノズル、  ３０  吐出装置。
【図１】
2019176940.tif 000003
【図２】
2019176940.tif 000004
【図３】
2019176940.tif 000005
【図４】
2019176940.tif 000006
【図５】
2019176940.tif 000007
【図６】
2019176940.tif 000008
【図７】
2019176940.tif 000009
【図８】
2019176940.tif 000010
【図９】
2019176940.tif 000011
【図１０】
2019176940.tif 000012
【図１１】
2019176940.tif 000013